【手続補正書】
【提出日】平成26年6月16日(2014.6.16)
【手続補正１】
【補正対象書類名】特許請求の範囲
【補正対象項目名】請求項１
【補正方法】変更
【補正の内容】
【請求項１】
式Ｉ：
【化１】
2013533911.tif 000001
式中、アスタリスクは、隣接した基への結合を示し、
Ａｒ１は、各出現において同一に、または異なって、以下の式
【化２】
2013533911.tif 000002
から選択された基であり、
Ａｒ２は、各出現において同一に、または異なって、以下の式
【化３】
2013533911.tif 000003
から選択された基であり、
Ｗは、Ｓ、ＳｅまたはＯであり、
Ｖは、ＣＨまたはＮであり、
Ｘ１およびＸ２は、各出現において同一に、または異なって、および互いに独立してＯ、ＳまたはＳｅであり、
Ｘは、ＨまたはＦであり、
Ｒは、各出現において同一に、または異なって、Ｆ、Ｃｌ、Ｂｒ、Ｉ、ＣＮまたは１〜３５個のＣ原子を有する直鎖状、分枝状もしくは環状アルキルを示し、ここで１個または２個以上の隣接していないＣ原子は、−Ｏ−、−Ｓ−、−ＣＯ−、−ＣＯ−Ｏ−、−Ｏ−ＣＯ−、−Ｏ−ＣＯ−Ｏ−、−ＣＲ０＝ＣＲ００−または−Ｃ≡Ｃ−によって任意に置き換えられており、ここで１個または２個以上のＨ原子は、Ｆ、Ｃｌ、Ｂｒ、ＩもしくはＣＮによって任意に置き換えられており、あるいは非置換であるかまたは１つもしくは２つ以上の非芳香族基Ｒ１によって置換されている４〜３０個の環原子を有するアリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニルまたはヘテロアリールオキシカルボニルを示し、
Ｒ０およびＲ００は、互いに独立してＨまたは任意に１個もしくは２個以上のヘテロ原子を含む任意に置換されたカルビルもしくはヒドロカルビルであり、
Ｒ１は、各出現において同一に、または異なって、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ０Ｒ００、−Ｃ（＝Ｏ）Ｘ０、−Ｃ（＝Ｏ）Ｒ０、−ＮＨ２、−ＮＲ０Ｒ００、−ＳＨ、−ＳＲ０、−ＳＯ３Ｈ、−ＳＯ２Ｒ０、−ＯＨ、−ＮＯ２、−ＣＦ３、−ＳＦ５、任意に置換されており、任意に１個または２個以上のヘテロ原子を含む任意に置換された１〜４０個のＣ原子を有するシリル、カルビルまたはヒドロカルビル、あるいはＰ−Ｓｐ−であり、
Ｒ２およびＲ３は、各出現において同一に、または異なって、および互いに独立して、ＲまたはＲ１について示した意味の１つを有し、それは好ましくはＨとは異なっており、
Ｒ４は、各出現において同一に、または異なって、ＲまたはＲ１について示した意味の１つを有し、
Ｐは、重合性であるかまたは架橋可能な基であり、
Ｓｐは、スペーサー基または単結合であり、
Ｘ０は、ハロゲンである、
で表される１つまたは２つ以上の同一であるかまたは異なる繰り返し単位を含む、共役ポリマー。
【手続補正２】
【補正対象書類名】特許請求の範囲
【補正対象項目名】請求項６
【補正方法】変更
【補正の内容】
【請求項６】
Ｒが、−ＣＯ−Ｒｙ、−ＣＯ−Ｏ−Ｒｙまたは−Ｏ−ＣＯ−Ｒｙ、極めて好ましくは−ＣＯ−Ｒｙまたは−ＣＯ−Ｏ−Ｒｙであり、ここでＲｙが、１〜３０個のＣ原子を有する直鎖状、分枝状または環状アルキルであり、ここで１個または２個以上の隣接していないＣ原子が、−Ｏ−、−Ｓ−、−ＣＯ−、−ＣＯ−Ｏ−、−Ｏ−ＣＯ−、−Ｏ−ＣＯ−Ｏ−、−ＣＲ０＝ＣＲ００−または−Ｃ≡Ｃ−によって任意に置き換えられており、かつここで１個または２個以上のＨ原子が、Ｆ、Ｃｌ、Ｂｒ、ＩまたはＣＮによって任意に置き換えられており、あるいはＲｙが、非置換であるか、または請求項１において定義した１つもしくは２つ以上の非芳香族基Ｒ１によって置換されている４〜３０個の環原子を有し、アリール、アリールオキシ、ヘテロアリールまたはヘテロアリールオキシである、請求項１〜５のいずれか一項に記載のポリマー。
【手続補正３】
【補正対象書類名】特許請求の範囲
【補正対象項目名】請求項７
【補正方法】変更
【補正の内容】
【請求項７】
Ｒ２およびＲ３、ならびにＨとは異なっている場合のＲ４が、１〜２０個のＣ原子を有する直鎖状アルキル、アルコキシおよびチオアルキルから選択されるか、あるいは、好ましくは３〜２０個のＣ原子を有する第二アルキル、アルコキシもしくはチオアルキル、または４〜２０個のＣ原子を有する第三アルキル、アルコキシもしくはチオアルキルである、３〜２０個のＣ原子を有する分枝状アルキル、アルコキシおよびチオアルキルから選択され、ここですべての前述の基において、１個または２個以上のＨ原子が、Ｆによって任意に置き換えられているか、あるいは任意にアルキル化またはアルコキシル化され、４〜３０個の環原子を有するアリールオキシ、ヘテロアリールまたはヘテロアリールオキシから選択される、請求項１〜６のいずれか一項に記載のポリマー。
【手続補正４】
【補正対象書類名】明細書
【補正対象項目名】００１７
【補正方法】変更
【補正の内容】
【００１７】
Ｒは、各出現において同一に、または異なって、Ｆ、Ｃｌ、Ｂｒ、Ｉ、ＣＮまたは１〜３５個のＣ原子を有する直鎖状、分枝状もしくは環状アルキルを示し、ここで１個または２個以上の隣接していないＣ原子は、−Ｏ−、−Ｓ−、−ＣＯ−、−ＣＯ−Ｏ−、−Ｏ−ＣＯ−、−Ｏ−ＣＯ−Ｏ−、−ＣＲ０＝ＣＲ００−または−Ｃ≡Ｃ−によって任意に置き換えられており、ここで１個または２個以上のＨ原子は、Ｆ、Ｃｌ、Ｂｒ、ＩもしくはＣＮによって任意に置き換えられており、あるいは非置換であるかまたは１つもしくは２つ以上の非芳香族基Ｒ１によって置換されている４〜３０個の環原子を有する、アリール、ヘテロアリール、アリールオキシ、ヘテロアリールオキシ、アリールカルボニル、ヘテロアリールカルボニル、アリールカルボニルオキシ、ヘテロアリールカルボニルオキシ、アリールオキシカルボニルまたはヘテロアリールオキシカルボニルを示し、
【手続補正５】
【補正対象書類名】明細書
【補正対象項目名】００５３
【補正方法】変更
【補正の内容】
【００５３】
本発明の他の好ましい態様において、Ｒ、Ｒ２またはＲ３は、１〜３０個のＣ原子を有する第一、第二または第三アルキルまたはアルコキシから選択され、ここで１個または２個以上のＨ原子は、Ｆ、または任意にアルキル化もしくはアルコキシル化されており、４〜３０個の環原子を有するアリール、アリールオキシ、ヘテロアリールもしくはヘテロアリールオキシによって任意に置き換えられている。このタイプの極めて好ましい基は、以下の式からなる群から選択される。
【化７】
2013533911.tif 000004
【手続補正６】
【補正対象書類名】明細書
【補正対象項目名】００８１
【補正方法】変更
【補正の内容】
【００８１】
−  Ｒは、１〜３０個のＣ原子を有する第一アルキル、アルコキシもしくはチオアルキル、３〜３０個のＣ原子を有する第二アルキル、アルコキシもしくはチオアルキル、または４〜３０個のＣ原子を有する第三アルキル、アルコキシもしくはチオアルキルであり、ここですべてのこれらの基中で、１個または２個以上のＨ原子は、Ｆによって任意に置き換えられている、
−  Ｒは、アリール、ヘテロアリール、アリールオキシまたはヘテロアリールオキシであり、その各々は、任意にアルキル化またはアルコキシル化されており、４〜３０個の環原子を有する、
【手続補正７】
【補正対象書類名】明細書
【補正対象項目名】００８２
【補正方法】変更
【補正の内容】
【００８２】
−  Ｒは、−ＣＯ−Ｒｙ、−ＣＯ−Ｏ−Ｒｙまたは−Ｏ−ＣＯ−Ｒｙ、極めて好ましくは−ＣＯ−Ｒｙまたは−ＣＯ−Ｏ−Ｒｙであり、ここでＲｙは、１〜３０個のＣ原子を有する直鎖状、分枝状または環状アルキルであり、ここで１個または２個以上の隣接していないＣ原子は、−Ｏ−、−Ｓ−、−ＣＯ−、−ＣＯ−Ｏ−、−Ｏ−ＣＯ−、−Ｏ−ＣＯ−Ｏ−、−ＣＲ０＝ＣＲ００−または−Ｃ≡Ｃ−によって任意に置き換えられており、ここで１個または２個以上のＨ原子は、Ｆ、Ｃｌ、Ｂｒ、ＩまたはＣＮによって任意に置き換えられており、あるいはＲｙは、非置換であるか、または式Ｉにおいて定義した１つもしくは２つ以上の非芳香族基Ｒ１によって置換されている、４〜３０個の環原子を有するアリール、アリールオキシ、ヘテロアリールまたはヘテロアリールオキシである、
【手続補正８】
【補正対象書類名】明細書
【補正対象項目名】００８６
【補正方法】変更
【補正の内容】
【００８６】
−  Ｒ０およびＲ００は、ＨまたはＣ１〜Ｃ１０アルキルから選択される、
−  Ｒ１は、１〜３０個のＣ原子を有するアルキル、アルコキシ、アルキルカルボニル、アルキルカルボニルオキシまたはアルコキシカルボニルであり、ここで１個または２個以上のＨ原子は、Ｆによって任意に置き換えられている、
−  Ｒ２およびＲ３は、同一の意味を有する、
−  Ｒ２およびＲ３は、Ｈとは異なる、
−  Ｒ４はＨである、
【手続補正９】
【補正対象書類名】明細書
【補正対象項目名】００８７
【補正方法】変更
【補正の内容】
【００８７】
−  Ｒ２、Ｒ３およびＲ４は、Ｈとは異なる場合には、１〜２０個のＣ原子を有する直鎖状アルキル、アルコキシおよびチオアルキルから選択され、ここで１個または２個以上のＨ原子は、Ｆによって任意に置き換えられている、
【手続補正１０】
【補正対象書類名】明細書
【補正対象項目名】００８８
【補正方法】変更
【補正の内容】
【００８８】
−  Ｒ２、Ｒ３およびＲ４は、Ｈとは異なる場合には、３〜２０個のＣ原子を有する分枝状アルキル、アルコキシおよびチオアルキルから選択され、ここで１個または２個以上のＨ原子は、Ｆによって任意に置き換えられており、それは、好ましくは３〜２０個のＣ原子を有する第二アルキル、アルコキシもしくはチオアルキル、または４〜２０個のＣ原子を有する第三アルキル、アルコキシもしくはチオアルキルであり、ここですべての前述の基中で、１個または２個以上のＨ原子は、Ｆによって任意に置き換えられている、